【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
被測定物の動作状態を識別するための監視回路要素であって、
１組の制御トランジスタ、及び、１組のセンス・トランジスタを備え、前記制御トランジスタの制御入力端子が、第１の電流と第２の電流との間の信号関係に関するテスト条件を設定するための基準信号を受信するように接続され、前記センス・トランジスタが、前記制御トランジスタと連係動作可能であり、センス入力端子を備えていて、前記被測定物から受信するサンプル値信号で前記センス入力端子にバイアスをかけると、前記信号関係が変化し、前記信号関係の変化によって、前記被測定物の前記動作状態が表わされるようになっている、比較回路と、
前記比較回路に作用的に結合されており、前記信号関係の前記変化を加速するように構成されているセンス増幅器と
が含まれていることを特徴とする、監視回路要素。
【請求項２】
前記制御トランジスタ及び前記センス・トランジスタが、２つの前記制御トランジスタ及び２つの前記センス・トランジスタを含む並列構造をなすように構成されていることを特徴とする、請求項１に記載の監視回路要素。
【請求項３】
さらに、前記第１の電流を伝導する第１の伝導経路と前記第２の電流を伝導する第２の伝導経路が含まれることと、前記第１及び第２の伝導経路が、前記並列構造と前記センス増幅器の間において並列に構成されていることと、前記第１及び第２の伝導経路が、それぞれ、
（１）２つの前記制御トランジスタ、または、
（２）２つの前記センス・トランジスタ、または、
（３）１つの前記制御トランジスタ及び１つの前記センス・トランジスタ、
のソース／ドレイン領域に結合されていることを特徴とする、
請求項２に記載の監視回路要素。
【請求項４】
前記サンプル値信号が特定の信号関係を満足すると、前記第1の電流が前記第2の電流に等しいことを特徴とする、請求項1に記載の監視回路要素。
【請求項５】
前記制御トランジスタの制御入力端子で受信する前記基準信号が、前記制御トランジスタを流れる電流を制御するための一定レベルの電圧であることを特徴とする、請求項１に記載の監視回路要素。
【請求項６】
前記基準信号が、ｘ−ｙ平面における境界を決めるように選択されることと、前記境界によって、前記ｘ−ｙ平面における２つのゾーンを識別できるようにすることを特徴とする、請求項５に記載の監視回路要素。
【請求項７】
前記サンプル値信号が、サンプリング段階において、前記センス・トランジスタのセンス入力端子で受信され、前記信号関係に前記変化を生じさせることと、前記サンプル値信号が、前記センス・トランジスタを通る電流を制御するために加えられるアナログ信号であることと、前記サンプル値信号によって、前記ｘ−ｙ平面における座標が決まることを特徴とする、請求項６に記載の監視回路要素。
【請求項８】
前記変化が、前記境界に対する前記座標の位置を表わすことを特徴とする、請求項７に記載の監視回路要素。
【請求項９】
前記第1の電流が前記第2の電流より大きいとき及び前記第2の電流が前記第1の電流より大きいときを表わすための出力回路要素をさらに含むことを特徴とする、請求項８に記載の監視回路要素。
【請求項１０】
前記センス増幅器が、前記第１の電流が前記第２の電流を超える場合には、第１のノードにおける第１のノード電圧を増幅し、前記第２の電流が前記第１の電流を超える場合には、第２のノードにおける第２のノード電圧を増幅するように構成されていることと、前記第１のノードが、前記第１の伝導経路に関連しており、前記第２のノードが、前記第２の伝導経路に関連していることを特徴とする、請求項９に記載の監視回路要素。
【請求項１１】
さらに、第１の出力インバータと第２の出力インバータが含まれ、前記第１の出力インバータが前記第１のノードに結合されて前記第１のノード電圧を反転し第１のディジタル出力を生成し、前記第２の出力インバータが前記第２のノードに結合されて前記第２のノード電圧を反転し第２のディジタル出力を生成するように構成されていることと、前記第１及び第２のディジタル出力が、相補性ディジタル信号であることを特徴とする、請求項１０に記載の監視回路要素。
【請求項１２】
前記第１及び第２の出力インバータが、前記第１及び第２のディジタル出力の少なくとも一つと対応する第１及び第２の所定の基準ディジタル信号を比較して、前記被測定物の前記動作状態を決定するための処理装置に作用的に結合されていることを特徴とする、請求項１１に記載の監視回路要素。
【請求項１３】
集積回路のテスト状態を決定するためのテスト回路であって、
第1の電流と第2の電流の間の信号関係に関する所定の条件を設定するために基準信号を受信するための制御入力領域を有する複数の制御トランジスタと、
前記制御トランジスタと作用的に関連し、かつ、前記第1の電流と前記第2の電流の間の前記信号関係に変化を与える前記集積回路信号を受信するためのセンス入力領域を有する複数のセンス・トランジスタとを備え、前記変化は前記集積回路の前記テスト状態を表すことを特徴とする、テスト回路。
【請求項１４】
前記第１の電流及び前記第２の電流のそれぞれが、
（１）前記制御トランジスタ、または、
（２）前記センス・トランジスタ、または、
（３）少なくとも１つの前記制御トランジスタ及び少なくとも１つの前記センス・トランジスタの組合わせ、
を通る電流によって設定されることを特徴とする、請求項１３に記載のテスト回路。
【請求項１５】
前記変化がｘ−ｙ平面におけるｘ−ｙ座標の位置を、ｘ−ｙ平面における境界に対して表すとともに、該境界が前記ｘ−ｙ平面における複数の領域を決定できることを特徴とする、請求項１３に記載のテスト回路。
【請求項１６】
前記ｘ−ｙ座標が前記集積回路信号により決定され、前記境界が前記基準信号によって決定されることを特徴とする、請求項１５に記載のテスト回路。
【請求項１７】
前記ｘ−ｙ座標が第1の領域にあるときは前記第1の電流が前記第2の電流より大きく、前記ｘ−ｙ座標が第２の領域にあるときは前記第２の電流が前記第１の電流より大きく、前記第1、第2の領域は前記ｘ−ｙ平面における異なる領域であることを特徴とする、請求項１５に記載のテスト回路。
【請求項１８】
被測定物の動作状態を識別するための動作状態識別方法であって、
制御トランジスタ及びセンス・トランジスタを含む複数のトランジスタを設けることと、
前記制御トランジスタにおいて基準信号を受信し、第１の電流と第２の電流との信号関係に関してテスト条件を設定することと、
前記センス・トランジスタにおいて、前記第１の電流と前記第２の電流との信号関係を決定するために加えられる、前記被測定物からの信号サンプルを受信することと、
前記信号サンプルが加えられた後、前記信号関係に基づいて、前記被測定物の前記動作状態を決定することと
が含まれていることを特徴とする、動作状態識別方法。
【請求項１９】
前記複数のトランジスタを設けることには、２つの前記制御トランジスタ及び２つの前記センス・トランジスタからなり、並列構造をなす４つのトランジスタを設けることが含まれることを特徴とする、請求項１８に記載の動作状態識別方法。
【請求項２０】
さらに、前記第１の電流を伝導するための第１の電流経路と、第２の電流を伝導するための第２の電流経路を設けることが含まれており、このことには、前記第１の電流経路を任意の２つの前記トランジスタのソース／ドレイン領域に接続し、前記第２の電流経路を他の２つの前記トランジスタのソース／ドレイン領域に接続することが含まれることを特徴とする、請求項１９に記載の動作状態識別方法。
【請求項２１】
前記基準信号を受信することには、前記制御トランジスタによって導通される電流を制御するための定電圧を受けることが含まれ、前記基準信号によって、ｘ−ｙ平面における複数の領域が決まることを特徴とする、請求項１８に記載の動作状態識別方法。
【請求項２２】
前記信号サンプルを受信することには、前記センス・トランジスタによって導通される電流を制御するためのアナログ信号を受信することが含まれることと、前記信号サンプルによって、前記ｘ−ｙ平面における座標が決まることを特徴とする、請求項２１に記載の動作状態識別方法。
【請求項２３】
さらに、前記信号関係を識別することによって、前記ｘ−ｙ平面における複数の領域内の１つに位置するように前記座標を設定することが含まれ、前記信号関係が、前記第１の電流が前記第２の電流を超える関係か、または、前記第２の電流が前記第１の電流を超える関係であることを特徴とする、請求項２２に記載の動作状態識別方法。
【請求項２４】
さらに、前記信号関係の前記変化を加速することを含むことを特徴とする、請求項１８に記載の動作状態識別方法。